(57)【要約】【課題】  アーム部において、吊持部の配置変更にともなって吊持部の上下への配置角度の変更を簡易な構造、機構によって実現し、製造はもとより、施工時の調整、メンテナンスを容易として、軒樋の出寸法の調整、並びに鼻隠し板部への取付時の勾配対応を可能とする。【解決手段】鼻隠し板部に取付固定される固定基台部１から前方に延設されたアーム部２を有し、該アーム部２のスライド域２１で前後方向にスライド可能とされ、締結部３で位置固定されて軒樋を吊支持する吊持部を備えた軒樋吊金具であって、アーム部２は、吊持部の配置変更にともなって、吊持部の上下への配置角度を変更可能とする複数のスライド域２１Ａ，２１Ｂと締結部３Ａ，３Ｂとを有しているものとする。【選択図】図１
2011069108.tif 000002
【特許請求の範囲】
【請求項１】
鼻隠し板部に取付固定される固定基台部から前方に延設されたアーム部を有し、該アーム部のスライド域で前後方向にスライド可能とされ、締結部で位置固定されて軒樋を吊支持する吊持部を備えた軒樋吊金具であって、アーム部は、吊持部の配置変更にともなって、吊持部の上下への配置角度を変更可能とする複数のスライド域と締結部とを有していることを特徴とする軒樋吊金具。
【発明の詳細な説明】
【技術分野】
【０００１】
本発明は軒先等に配置される軒樋の取付固定用の吊金具に関するものである。
【背景技術】
【０００２】
従来より、軒先での軒樋の配置位置と、軒樋を吊金具をもって取付固定する際の鼻隠し板部との距離を調整するための工夫が必要とされている。このような工夫の一つとして、吊金具そのものを鼻隠し板部に対して前後方向にスライド可能とした軒樋吊金具がある。図５は、その代表例を示したものである。また図６は、図５の斜視図に対応する平面図を示したものである。前後方向のスライドによる距離調整を可能とするために、鼻隠し板部に取付固定される固定基台部１から前方に延設されたアーム部２と、このアーム部２におけるスライド域で図中に矢印で示した前後方向にスライド可能とされ、締結部３において位置固定される吊持部４とをもって軒樋吊金具を構成している。吊持部４は、たとえば後耳支持部４１と抑えリブ４２とをもって軒樋の後耳部を保持し、また前耳支持部４３において軒樋の前耳部を保持するようにしている。これによって軒樋の吊持が可能とされる。
【０００３】
一方、以上のような軒樋の出寸法を調整することが可能なスライド構造の軒樋吊金具への要望があるとともに、軒樋吊金具を取付固定する鼻隠し板部の勾配への対応も求められている。鼻隠し板部が垂直でなく、勾配をもって施工される場合も少くないからである。
【０００４】
鼻隠し板部に勾配がある場合、例えば図５の例においては固定基台部１は、垂直な鼻隠し板部５への取付固定を前提としている。このため、仮に勾配のある鼻隠し板部５Ａに取付固定すると、吊持部４に吊支持された軒樋は水平位置を保持できずに傾いてしまい、雨水が前耳部から流出してしまうという不具合が生じることになる。
【０００５】
そこで、鼻隠し板部への取付勾配に対応するために、例えば図７に示したように、勾配のある鼻隠し板部５Ａに取付られる固定基台部１から延設されるアーム部２に対し、吊持部４を、摺動部６を介して、図中矢印Ａの前後方向にスライド自在にするとともに、摺動部６に垂下させた垂片７における円弧長孔８と締結具９とをもって、吊持部４の上下配置角度を図中矢印Ｂ方向に変更可能とした吊金具が提案されている（特許文献１）。軒樋の出寸法の調整を前後方向へのスライドによって可能とし、かつ、鼻隠し板部への取付勾配に対して配置角度を変更可能とすることで対応しようとしている。
【０００６】
しかしながら、従来例においては、摺動部６、そして垂片７をもって構造、機構は大変に複雑であって、製造はもとより、施工時の調整、メンテナンス、そして吊金具としての軒樋の確実で安定した吊持ちを可能とするとの点において難点があった。
【先行技術文献】
【特許文献】
【０００７】
【特許文献１】実開平７−１５９１９号公報
【発明の概要】
【発明が解決しようとする課題】
【０００８】
本発明は、以上のとおりの背景から、従来技術の問題点を解消し、より簡易な構造、機構をもって、製造はもとより、施工時の調整、メンテナンスが容易であって、軒樋の確実で安定した吊持ちを可能とする新しい軒樋吊金具を提供することを課題としている。
【０００９】
これによって、前後スライドによる軒樋の出寸法の調整、そして鼻隠し板への取付時の勾配対応をも可能とする。
【課題を解決するための手段】
【００１０】
本発明の軒樋吊金具は、以下のことを特徴としている。
【００１１】
すなわち、鼻隠し板部に取付固定される固定基台部から前方に延設されたアーム部を有し、該アーム部のスライド域で前後方向にスライド可能とされ、締結部で位置固定されて軒樋を吊支持する吊持部を備えた軒樋吊金具であって、アーム部は、吊持部の配置変更にともなって、吊持部の上下への配置角度を変更可能とする複数のスライド域と締結部とを有している。
【発明の効果】
【００１２】
上記のとおりの本発明の軒樋吊金具においては、アーム部において、吊持部の配置変更にともなって吊持部の上下への配置角度を変更可能とする複数のスライド域と締結部とを有するものとしている。この構造、機構は極めて簡易である。そして、その製造はもとより、施工時の調整、メンテナンスが容易となる。前後スライドによる軒樋の出寸法の調整、並びに鼻隠し板部への取付時の勾配対応を可能として、軒樋を確実に安定して吊持ちすることができる。
【図面の簡単な説明】
【００１３】
【図１】本発明の実施形態を勾配なしの場合として示した斜視図とアーム部並びに固定基台部についての部分斜視図である。
【図２】図１に対応する正面図である。
【図３】図１に対応する側面図である。
【図４】勾配がある場合として実施形態を示した斜視図である。
【図５】従来の前後スライド可能とした軒樋吊金具について例示した斜視図である。
【図６】図５に対応する平面図である。
【図７】前後へのスライドと勾配対応をも可能とした従来の軒樋吊金具を例示した側面図と要部拡大斜視図である。
【発明を実施するための最良の形態】
【００１４】
図１は本発明の実施形態について取付勾配のない状態としてその全体を示し、また、アーム部等の一部を示した斜視図である。図２、図３は、対応する正面図と側面図である。この実施形態における軒樋吊金具は、鼻隠し板部に取付固定される固定基台部１とこれから前方に延設されたアーム部２を有している。そして、アーム部２に対し、図中矢印Ａ方向の前後方向にスライド可能とされ、締結部３で位置固定されて軒樋を吊支持する吊持部４を備えている。アーム部２での吊持部４のスライドを可能とするため、アーム部２には、下方に開かれた断面コ字状のスライド域２１が設けられている。吊持部４は、このスライド域２１内において前後方向に移動自在とされている。スライドによる出入長さが調整されて、所定位置に定められた吊持部４は、締結部３において位置固定される。
【００１５】
締結部３での締結による位置固定には様々な手段が採用されてよく、例えば、アーム部２の開口から挿入されたボルト３１を吊持部４の前後方向に設けられた長孔の所定の部位を貫通させて、ナット３２によって締結する。ナット３２による締結をゆるめて解除すると、ボルト３１が貫通された状態で、前記長孔に沿って吊持部４のスライド移動が可能とされる。
【００１６】
以上の軒樋吊金具においては、図１並びに図２、図３にも示したように、吊持部４の上下方向への配置角度を変更可能とする二つのスライド域２１Ａ，２１Ｂと二つの締結部３Ａ，３Ｂとを有している。スライド域２１Ｂは、スライド域２１Ａに比べて図３のように、角度αだけ前方上向きに設定されている。このため、同じ吊持部４を用いても、スライド域２１Ａにこれを配置する場合と、スライド域２１Ｂに配置する場合とでは、吊持部４の上下への配置角度は異ることになる。
【００１７】
図１、図２、図３に示したほぼ垂直の勾配のない鼻隠し板部５に固定基台部１において取付固定した軒樋吊金具では、吊持部４は、スライド域２１Ａにおいて、鼻隠し板部５に対してほぼ直交する水平位置で前後にスライド自在とされる。一方、前記角度αを有するスライド域２１Ｂにおいて、吊持部４をスライド域２１Ａからの配置変更によって、上下への配置角度は変更されることになる。つまり、一つの吊持部４によって、配置角度が異った状態が実現される。
【００１８】
このため、例えば、図４に示したように、勾配のある鼻隠し板部５Ａに対し固定基台部１を傾斜した状態で取付固定した場合においても、この勾配が前記角度αに対応する範囲内において、前記スライド域２１Ｂへの吊持部４の挿入、配置の変更によって勾配対応が可能となる。つまり、吊持部４は、軒先において図１の場合と同様にほぼ水平位置において前後矢印Ａ方向にスライド可能とされる。
【００１９】
角度αについては、例えば、建物の鼻隠し板部５、５Ａの施工上の勾配の大きさを平均的に見積ることによってあらかじめ設定することが可能である。その見積りのいかんによっては、角度αが三つ以上異る複数のスライド域２１と締結部３をアーム部２に配設すればよい。これら複数のスライド域２１と締結部３は、アーム部２に一体的に配設することができる。
【００２０】
以上のような本発明の軒樋吊金具は、構造、機構が簡易であって、金属製として成形、加工による製造が容易であり、施工時での前記スライド域２１の選択やスライド調整、そしてこれらのメンテナンスも極めて容易である。しかも構造、機構の簡易さからも強度からも、図７の従来の不具合もなく、またこれに比べてはるかに確実、安定に軒樋を吊支持することが可能となる。
【符号の説明】
【００２１】
１    固定基台部
２    アーム部
３，３Ａ，３Ｂ  締結部
４    吊持部
４１  後耳支持部
４２  抑えリブ
４３  前耳支持部
５    鼻隠し板部
５Ａ  勾配のある鼻隠し板部
６    摺動部
７    垂片
８    円弧長孔
９    締結具
２１，２１Ａ，２１Ｂ  スライド域
３１  ボルト
３２  ナット
【図１】
2011069108.tif 000003
【図２】
2011069108.tif 000004
【図３】
2011069108.tif 000005
【図４】
2011069108.tif 000006
【図５】
2011069108.tif 000007
【図６】
2011069108.tif 000008
【図７】
2011069108.tif 000009